【事件の表示】
　平成１０年特許願第　５７８１６号「電子レンジ」拒絶査定に対する審判事件［平成１１年　９月２１日出願公開、特開平１１−２５７６６８］について、次のとおり審決する。
【結　論】
　本件審判の請求は、成り立たない。
【理　由】
１．手続の経緯・本願発明
　本願は、平成１０年３月１０日の出願であって、その請求項１に係る発明（以下、請求項１に係る発明を「本願発明」という。）は、平成１３年１０月２３日受付の手続補正により補正された明細書の特許請求の範囲の請求項１に記載された次のとおりである。
　
「【請求項１】　レンジ本体の底面板と一体成形して設けられた蓋板を切り離し、蓋板の切り離し後に生じた開口を再取着された蓋板でもって閉鎖する構成とされたものであって、蓋板は、その外周面に沿って形成されたスリットを挟んで開口の内周縁と対向し、スリットの所定位置ごとに配置された連結片を介して開口と切り離し可能に支持されており、かつ、その外周縁における対称位置の一方からは取着脚が延出され、対称位置の他方には取着孔が切り込み形成され、レンジ本体の底面板には、再取着された蓋板の取着脚が挿入して支持される脚支持部と、蓋板の取着孔を挿通したネジ部品が支持されるネジ孔とが設けられた電子レンジであって、
　切り離し前の蓋板を支持している連結片は、切り離されて再取着される際の蓋板に残っている連結片の残部分と位置ずれを生じる位置を予め選択したうえで配置されていることを特徴とする電子レンジ。」　
　
２．引用文献に記載された発明
　これに対して、原査定の拒絶理由に引用した、本願の出願前国内において頒布された刊行物である、実願昭６３−７９２２８号（実開平２−２８７１号）のマイクロフィルム（以下、「引用文献１」という。）には、図面とともに以下のような記載がある。
　
「プリ・メインアンプなどの電子機器には、複数の電子部品や各種のプリント基板を載置するシャーシが設けられている。このシャーシは機器筐体の底面板としても機能する。」（明細書第２頁１〜４行）
　
「このようなプリ・メインアンプに使用されるシャーシ１０に形成された孔１１は第１図に示すように、ほぼ長方形状をなし、その大きさは上述したようにこのシャーシ１０上に載置、固定されるプリント基板３などの大きさに関連した大きさに選定される。・・・・・
　所定形状に孔１１を穿設することによって、第２図に示すような形状の板体２０が得られる。本例では、この板体２０を孔１１を閉蓋するための蓋体として使用するものである。
　説明の便宜上、蓋体２０から説明すると、この蓋体２０の外周面には、閉蓋時にシャーシ１０の面と衝合するように複数の突起３０〜３４が夫々の側面の所定位置に形成されている。このうち、特に上面２０ａに形成された一対の突起３０，３１はＵ字状の溝３０ａ，３１ａを有する。
　この突起３０，３１は後述するように、ビス止め用の突起として使用される（第３図及び第７図参照）。
　下面２０ｂ側には所定の距離を隔てて、折曲係合片２３，２４が形成される。シャーシ１０から蓋体２０を切り離す前はこれら係合片２３，２４は連結子としても機能する。
　　　　　　　　　・・・・・
　さて、この第２図に示す蓋体２０は通常の状態ではシャーシ１０と機械的に連結され、保守、点検時に初めてシャーシ１０より分離される構成となされている。
　そのため、第１図に示すようにシャーシ１０には複数個、この例では４個の連結子２１〜２４が設けられる。これら連結子２１〜２４によって蓋体２０はシャーシ１０と結合され、その他の部分はシャーシ１０から切り離された状態となっており、シャーシ１０から完全に独立している。
　上面２０ａ側に設けられた連結子２１，２２とシャーシ１０との間は図のように、その左右に空隙２７が形成され、連結子２１，２２の上端部のみによってシャーシ１０と連結されている。
　これら連結子２１，２２は長方形状の短片として形成される。夫々の形状は同一である。
短片の上下の各付根には、第４図に示すような、比較的深い切り込み２５ｂ（２５ａ）が蓋体２０の外面側より形成されると共に、短片のほぼ中央部には折曲用の穴２６が穿設されている。穴２６は折曲時、ドライバーなどの治具が挿入できる程度の大きさである。
　折曲によって連結子２１，２２は蓋体２０及びシャーシ１０の夫々から切り離され、従って蓋体２０の上面２０ａは第２図のような平面となる。
　下面２０ｂ側に設けられた連結子２３，２４は、上面２０ａ側のそれらとは若干その形状が相違する。これは、第７図からも明らかなように、これら連結子２３，２４は折曲後も係合片として蓋体２０の一部として残存するようになされているからである。
　そのため、連結子２３，２４にはその先端部にのみ第５図に示すような切り込み２５ｃ（２５ｄ）が形成されている。また、この連結子２３，２４はシャーシ１０の内面側に折り曲げられている。
　これら連結子２３，２４に対して、シャーシ１０には係合部４，５が形成される。
すなわち、分離された蓋体２０を１８０°回転させた状態で、係合片２３，２４が対向する位置に、係合部４，５が形成される。
　　　　　　　・・・・・
　蓋体２０の下面２０ｂと対向するシャーシ１０には夫々所定の位置にビス止め用の螺合穴３８，３９が形成されている。
　すなわち、分離された蓋体２０を１８０°回転させた状態のとき、突起３０，３１の溝３０ａ，３１ａと螺合穴３８，３９とが対向するように両者の位置関係が選定される。
　さて、このように構成されたシャーシ１０において、工場出荷段階では第１図のように連結子２１〜２４によって蓋体２０がシャーシ１０本体に連結されている。
　保守、点検が必要なときには、ドライバーなどで一対の連結子２１，２１が切り落とされて、まず蓋体２０の上面２０aがシャーシ１０と完全に分離される。次に、上面２０ａ側を２〜３度揺すれば、下面２０ｂ側の切り込み２５ｃ，２５ｄも切り離されるから、これによって蓋体２０はシャーシ１０より完全に剥離される。その状態が第２図である。
　分離されたこの蓋体２０を使用して孔１１を閉蓋するときには、蓋体２０を１８０°回転させる。
　そうすると、第３図に示すようにシャーシ１０の係合部４，５に連結子である係合片２３，２４が対向し、突起３０，３１の溝３０ａ，３１ａが螺合穴３８，３９と対向するようになる。
　それ故、第７図のように係合片２４（２３）を係合部４（５）に係合させた状態で、ビス１４によって突起３１（３０）とシャーシ１０とを締め付ければ、孔１１を蓋体２０によって閉蓋できる。」（明細書第６頁１行〜第１１頁５行）
　
　上記記載および図面を参照すると、「シャーシ１０には複数個、この例では４個の連結子２１〜２４が設けられる。これら連結子２１〜２４によって蓋体２０はシャーシ１０と結合され、その他の部分はシャーシ１０から切り離された状態となっており、シャーシ１０から完全に独立している。」との記載より、蓋体は、その外周面に沿って形成されたスリットを挟んで孔の内周縁と対向しており、また、蓋板を再取着した状態を示す第３図には、連結子２１、２２を切り離したシャーシ側の残部分と連結子である係合片２３、２４の先端部、及び、連結子２１、２２を切り離した蓋板側の残部分と係合片２３、２４を切り離したシャーシ側の残部分とが、それぞれ位置ずれを生ずるようにしたものが記載されているから、
　引用文献１には、
「電子機器筐体の底面板として機能するシャーシと一体成形して設けられた蓋体を切り離し、蓋体の切り離し後に生じた孔を再取着された蓋体でもって閉鎖する構成とされたものであって、蓋体は、その外周面に沿って形成されたスリットを挟んで孔の内周縁と対向し、スリットの所定位置ごとに配置された連結子を介して孔と切り離し可能に支持されており、かつ、その外周縁における対称位置の一方からは係合片が延出され、対称位置の他方にはＵ字状の溝が切り込み形成され、電子機器本体のシャーシには、再取着された蓋体の係合片が挿入して支持される係合部と、蓋体のＵ字状の溝を挿通したビスが支持される螺合穴とが設けられた電子機器であって、
　切り離し前の蓋体を支持している連結子は、切り離されて再取着される際の蓋体に残っている連結子の残部分と位置ずれを生じる位置を予め選択したうえで配置されていることを特徴とする電子機器。」　　　　　
が記載されている。
　
　同じく、原査定の拒絶理由に引用した、本願の出願前国内において頒布された刊行物である、実願昭６３−３４３３２号（実開平１−１３６８０１号）のマイクロフィルム（以下、「引用文献２」という。）には、図面とともに以下のような記載がある。
　
「而して、本電子レンジの製造時には、底板（３）は図面に示す如き状態、即ち小支持部（１０）を切り残した状態で本体（１）を組み立てればよい。この場合、蓋体部（８）が底板（３）と一体であるので両者の固定をネジ等により行なう必要はない。従って、部品点数か少ない上に工程数も少なく、製造が容易で製造コストも安い。
　また製造完了後、・・・・・修理、メンテナンスが必要となった時には、ニッパ等を用いて小支持部（１０）を切断し、蓋体部（８）を底板（３）から分離すれば、その分離後の開口と、蓋体部（８）とで開閉可能な扉部が構成される。而して、その開口を介してモータ（７）の交換等のメンテナンスが容易に行なえる。また、メンテナンス作業終了後には、蓋体（８）を中心線A−A線を中心として裏返して係止突片（１１）を切起部（１５）にはめ込み、固定部（１３）を図示しないネジによってバーリング孔（１４）にネジ止め固定すれば、蓋体部（８）分離後の開口を閉塞することができる。」（明細書第５頁１２行〜第６頁１１行）
　
３．対比・判断
　本願発明と引用文献１に記載された発明とを対比すると、引用文献１に記載の「シャーシ１０」は、本願発明の「底面板」に相当し、以下同様に「蓋体２０」は「蓋板」に、「穴１１」は「開口」に、「連結子２１〜２４」は「連結片」に、「係合片２３、２４」は「取着脚」に、「Ｕ字状の溝３０ａ、３１ａ」は「取着孔」に、「係合部４、５」は「脚支持部」に、「ビス１４」は「ネジ部品」に、「螺合穴３８、３９」は「ネジ孔」に、それぞれ相当し、電子レンジも電子機器であるから、
　両者は、
「電子機器本体の底面板と一体成形して設けられた蓋板を切り離し、蓋板の切り離し後に生じた開口を再取着された蓋板でもって閉鎖する構成とされたものであって、蓋板は、その外周面に沿って形成されたスリットを挟んで開口の内周縁と対向し、スリットの所定位置ごとに配置された連結片を介して開口と切り離し可能に支持されており、かつ、その外周縁における対称位置の一方からは取着脚が延出され、対称位置の他方には取着孔が切り込み形成され、電子機器本体の底面板には、再取着された蓋板の取着脚が挿入して支持される脚支持部と、蓋板の取着孔を挿通したネジ部品が支持されるネジ孔とが設けられた電子機器であって、
　切り離し前の蓋板を支持している連結片は、切り離されて再取着される際の蓋板に残っている連結片の残部分と位置ずれを生じる位置を予め選択したうえで配置されていることを特徴とする電子機器。」である点で一致し、以下の点で相違している。
　
［相違点］底面板構造の適用対象が、本願発明では電子レンジであるのに対して、引用文献１に記載された発明では、プリ・メインアンプなどの電子機器である点。
　
　上記相違点について検討すると、引用文献２には、電子レンジの底面板（底板）において、製造時には蓋体（蓋体部）と底面板とが一体であり、修理、メンテナンス時には連結片（小支持部）を切断することにより、蓋体を底面板より分離できるようにし、修理、メンテナンス後は、切り離された蓋体を、再取着できるようにした発明が記載されており、引用文献１に記載された発明及び引用文献２に記載された発明は、いずれも電子機器の保守点検のための底部蓋板構造であって、両蓋板ともに、当初は底面板と一体に形成し、修理、メンテナンス時には、底面板から容易に分離でき、その後、底面板に再取着できるようにした点で、その機能に異なるところはないから、引用文献１に記載された底面板構造を電子レンジの底面板に適用して本願発明の構成とすることは、当業者が容易に想到し得たことである。
　そして、本願発明が奏する作用効果は、引用文献１及び２に記載された発明から当業者が予測し得る程度のものであって格別のものではない。
　
４．むすび
　以上のとおりであるから、本願発明は、本願の出願前に国内において頒布された引用文献１及び２に記載された発明に基づいて当業者が容易に発明をすることができたものであり、特許法第２９条第２項の規定により特許を受けることができない。
　よって、結論のとおり審決する。